(57)【特許請求の範囲】
【請求項１】
発呼操作により指定された送信先と無線通信するデジタル携帯電話装置であって、
無線通信に用いられる伝送方式に対応したモデムと、
無線通信の制御を行う制御手段と、
原稿上の情報を読み取り、読み取った原稿上の情報から画像信号を生成し、上記画像信号を上記モデムに供給すると共に、原稿上の情報の読み取りタイミングに同期した同期信号を生成し、上記同期信号を上記制御手段に供給するハンドスキャナを接続するための接続手段とを備え、
上記モデムは、上記制御手段の制御に基いて、上記接続手段に接続されたハンドスキャナにより読み取られた原稿上の情報から生成された画像情報からファクシミリ通信に用いられる伝送方式に対応したファクシミリ送信信号を生成し、
上記制御手段は、上記同期信号に基いて上記モデムにおける画像信号の取り込みタイミングを制御し、上記モデムで得られたファクシミリ送信信号が発呼操作により指定された送信先に無線送信されるように制御することを特徴とするデジタル携帯電話装置。
【請求項２】
発呼操作により指定された送信先と無線通信するデジタル携帯電話装置と、原稿上の情報を読み取るハンドスキャナとを備え、
上記デジタル携帯電話装置は、無線通信に用いられる伝送方式に対応したモデムと、無線通信の制御を行う制御手段と、上記ハンドスキャナを接続する接続手段とを備え、
上記ハンドスキャナは、読み取った原稿上の情報から画像信号を生成し、上記画像信号を上記モデムに供給すると共に、原稿上の情報の読み取りタイミングに同期した同期信号を生成し、上記同期信号を上記制御手段に供給し、
上記モデムは、上記制御手段の制御に基いて上記ハンドスキャナからの画像情報からファクシミリ通信に用いられる伝送方式に対応したファクシミリ送信信号を生成し、
上記制御手段は、上記ハンドスキャナからの同期信号に基いて上記モデムにおける画像信号の取り込みタイミングを制御し、上記モデムで得られたファクシミリ送信信号が発呼操作により指定された送信先に無線送信されるように制御することを特徴とするファクシミリ装置。
【発明の詳細な説明】
【０００１】
【産業上の利用分野】
本発明は、デジタル無線方式で音声通信するデジタル携帯電話装置、及び電話網を利用して画像情報を電送するファクシミリ装置に関するものであり、特に、ハンドスキャナを接続することができるようになされており、ハンドスキャナが接続された場合には、ファクシミリ装置として機能するデジタル携帯電話装置、及びハンドスキャナにより読み取った原稿上の画像情報をデジタル携帯電話装置により電送するファクシミリ装置に関するものである。
【０００２】
【従来の技術】
今日において、電気通信に対する顧客の要望は、ますます多様化、高度化してきている。これにこたえるために、電話装置は、種々の機能を備えるようになり、デザインも豊富になってきている。これに伴って、各種の通信端末、移動体通信方式の開発、電話網内のノードとなる交換機の機能向上、電話網のデジタル化による伝送品質の向上、及び信号の高度化、高速化が図られている。これにより、電話網の接続範囲は、移動体通信へと拡大され、移動体通信は、携帯電話装置、無線呼出装置である所謂ポケットベル、自動車電話装置等へと接続の範囲が拡大されている。また、電話装置の利用形態の多様化や非電話系端末の通信に対応可能なように、電話網機能の高度化が図られ、電話網の一部の設備を非電話系サービスに利用したファクシミリ通信網、ビデオテックス通信網、電話網−パケット網網間接続等の電話サービスが導入されている。
【０００３】
例えば、電話網を利用するファクシミリ装置は、ＣＣＩＴＴ勧告に基き、Ｇ１、Ｇ２、Ｇ３の３機種に分類される。これらの機種の中でもＧ３ファクシミリは、高速電送可能な機種であり、オフィスを中心に最も多く利用されているものである。また、Ｇ３ファクシミリとして、電話装置と一体で非常にコンパクトに設計されたものが普及している。また、データ網又はデジタル網を利用したＧ４の機種がある。このＧ４ファクシミリは、Ｇ３ファクシミリに比べ、伝送速度、画品質等が優れているという特徴を持っており、送信側では１次元イメージセンサ読みとり方式、受信側では感熱記録方式又はレーザビーム記録方式を用いている。
【０００４】
ここで、例えば、ハンドスキャナ機能を有するファクシミリ装置が実用化されている。すなわち、上記ファクシミリ装置は、図３に示すように、電話装置１００と、電話装置１００に接続されたハンドスキャナ２００とを備えている。
【０００５】
電話装置１００は、例えば、アナログ方式の装置であり、受話器１０１と、送話器１０２と、操作表示部１０３と、受話器１０１及び送話器１０２と接続された送受話増幅器１０４と、通話線１０５を有し送受話増幅器１０４と接続された通話回路１０６と、装置全体を動作制御する制御部１０７と、電池１０８とを備えている。
【０００６】
ハンドスキャナ２００は、読み取り部２０１と、読み取り部２０１と接続された画像情報処理部２０２と、画像情報処理部２０２と接続されたモデム２０３と、モデム２０３と接続された増幅器２０４と、ローラ２０５と、ローラ２０５と接続された回転検出部２０６と、回転検出部２０６の検出結果に基いて装置全体を動作制御する制御部２０７と、電池２０８とを備えている。また、増幅器２０４は、電話装置１００の通話回路１０６と接続されており、制御部２０７は、電話装置１００の制御部１０７と接続されている。
【０００７】
上述のような構成をしたファクシミリ装置において、通話時には、通話線１０５を介して受信された相手側からの受信信号は、通話回路１０６及び送受話増幅器１０４を介することにより、受話器１０１から音声として出力される。また、送話器１０２から入力された音声は、送受話増幅器１０４及び通話回路１０６を介することにより、送信信号として通話線１０５を介して出力される。
【０００８】
一方、ファクシミリ通信時において、例えば、ファクシミリ送信する場合、ハンドスキャナ２００の読み取り部２０１により読み取られた原稿上の情報は、画像情報処理部２０２により画像信号に変換される。そして、その画像信号は、モデム２０３及び増幅器２０４を介することにより、ファクシミリ送信信号として電話装置１０の通話回路１０６に供給され、通話線１０５を介して送信先に出力される。
【０００９】
【発明が解決しようとする課題】
しかし、上述のようなファクシミリ装置では、ハンドスキャナを電話装置から取り外して使用することができるため、例えば、製本化された厚みのある冊子等でも容易にファクシミリ送信することができるという便利さはあるが、ハンドスキャナを使用する場所は、ハンドスキャナと電話装置の接続範囲に限られてしまっていた。すなわち、携帯性には欠けてしまっていた。
【００１０】
そこで、本発明は、上述の如き従来の実情に鑑みてなされたものであり、次のような目的を有するものである。
【００１１】
即ち、本発明の目的は、携帯性を損なうこと無く容易にファクシミリ機能を付加することができるデジタル携帯電話装置を提供することにある。
【００１２】
また、本発明の目的は、携帯性に優れたファクシミリ装置を提供することにある。
【００１３】
【課題を解決するための手段】
上述の課題を解決するために、本発明に係るデジタル携帯電話装置は、発呼操作により指定された送信先と無線通信するデジタル携帯電話装置であって、無線通信に用いられる伝送方式に対応したモデムと、無線通信の制御を行う制御手段と、原稿上の情報を読み取り、読み取った原稿上の情報から画像信号を生成し、上記画像信号を上記モデムに供給すると共に、原稿上の情報の読み取りタイミングに同期した同期信号を生成し、上記同期信号を上記制御手段に供給するハンドスキャナを接続するための接続手段とを備え、上記モデムは、上記制御手段の制御に基いて、上記接続手段に接続されたハンドスキャナにより読み取られた原稿上の情報から生成された画像情報からファクシミリ通信に用いられる伝送方式に対応したファクシミリ送信信号を生成し、上記制御手段は、上記同期信号に基いて上記モデムにおける画像信号の取り込みタイミングを制御し、上記モデムで得られたファクシミリ送信信号が発呼操作により指定された送信先に無線送信されるように制御することを特徴とする。
【００１４】
本発明に係るファクシミリ装置は、発呼操作により指定された送信先と無線通信するデジタル携帯電話装置と、原稿上の情報を読み取るハンドスキャナとを備え、上記デジタル携帯電話装置は、無線通信に用いられる伝送方式に対応したモデムと、無線通信の制御を行う制御手段と、上記ハンドスキャナを接続する接続手段とを備え、上記ハンドスキャナは、読み取った原稿上の情報から画像信号を生成し、上記画像信号を上記モデムに供給すると共に、原稿上の情報の読み取りタイミングに同期した同期信号を生成し、上記同期信号を上記制御手段に供給し、上記モデムは、上記制御手段の制御に基いて上記ハンドスキャナからの画像情報からファクシミリ通信に用いられる伝送方式に対応したファクシミリ送信信号を生成し、上記制御手段は、上記ハンドスキャナからの同期信号に基いて上記モデムにおける画像信号の取り込みタイミングを制御し、上記モデムで得られたファクシミリ送信信号が発呼操作により指定された送信先に無線送信されるように制御することを特徴とする。
【００１５】
【作用】
本発明に係るデジタル携帯電話装置では、接続手段は、原稿上の情報を読み取るハンドスキャナを接続する。モデムは、制御手段の制御に基いて、上記接続手段に接続されたハンドスキャナにより読み取られた原稿上の情報から生成された画像情報からファクシミリ通信に用いられる伝送方式に対応したファクシミリ送信信号を生成する。上記制御手段は、上記ハンドスキャナにより生成された原稿上の情報の読み取りタイミングに同期した同期信号に基いて、上記モデムにおける画像信号の取り込みタイミングを制御する。また、上記制御手段は、上記モデムで得られたファクシミリ送信信号が発呼操作により指定された送信先に無線送信されるように制御する。
【００１６】
本発明に係るファクシミリ装置では、接続手段は、デジタル携帯電話装置とハンドスキャナを接続する。上記ハンドスキャナは、原稿上の情報を読み取り、読み取った情報から画像信号を生成し、生成した画像信号を上記デジタル携帯電話装置のモデムに供給する。また、上記ハンドスキャナは、原稿上の情報の読み取りタイミングに同期した同期信号を生成し、生成した同期信号を上記デジタル携帯電話装置の制御手段に供給する。上記モデムは、上記制御手段の制御に基いて、上記ハンドスキャナからの画像情報からファクシミリ通信に用いられる伝送方式に対応したファクシミリ送信信号を生成する。上記制御手段は、上記ハンドスキャナからの同期信号に基いて上記モデムにおける画像信号の取り込みタイミングを制御する。また、上記制御手段は、上記モデムで得られたファクシミリ送信信号が発呼操作により指定された送信先に無線送信されるように制御する。
【００１７】
【実施例】
以下、本発明の一実施例について図面を参照しながら説明する。
【００１８】
本発明に係るファクシミリ装置は、例えば、図１に示すように、デジタル携帯電話装置１とハンドスキャナ２で構成されるファクシミリ装置４に適用される。また、デジタル携帯電話装置１は、本発明に係るデジタル携帯電話装置である。
【００１９】
デジタル携帯電話装置１は、上記図１に示すように、装置本体１１と、装置本体１１の前面に設けられた送受話部１２、操作表示部１３、及び複数の操作キーから成る操作入力部１４と、装置本体１１の上面に設けられたアンテナ１５と、装置本体１１の側面に設けられた接続部１６とを備えている。
【００２０】
接続部１６は、ハンドスキャナ２を接続するためのものである。そこで、ハンドスキャナ２は、上記図１に示すように、装置本体２１と、装置本体２１の上面に設けられた接続部２１を備えており、接続部２１とデジタル携帯電話装置１の接続部１６は、例えば、１対のコネクタから成る。また、ハンドスキャナ２は、装置本体２１の下面に設けられた後述する読み取り部２３とローラ２４を備えている。
【００２１】
デジタル携帯電話装置１の装置本体１１の内部には、各処理部等が設けられている。すなわち、図２に示すように、アンテナ１５と接続された無線送受信部１７と、無線送受信部１７と接続されたモデム１８と、モデム１８と接続された音声符号化部１９と、無線送受信部１７、モデム１８、音声符号化部１９、及び操作表示部１３等を制御する制御部２０と、充電式電池４１とを備えている。
【００２２】
また、ハンドスキャナ２の装置本体２１にも各処理部等が設けられており、上記図２に示すように、上述したローラ２３の回転を検出する回転検出部２５と、上述した読み取り部２４と接続された画像情報処理部２６と、回転検出部２５からの検出結果に基いて画像処理部２６等を制御する制御部２７と、充電式電池４２とを備えている。
【００２３】
ここで、デジタル携帯電話装置１とハンドスキャナ２が接続部１６と接続部２２により接続され、一体となった場合、上記図２に示すように、ハンドスキャナ２の画像情報処理部２６とデジタル携帯電話装置１のモデム１８は、接続された状態となり、また、ハンドスキャナ２の制御部２７とデジタル携帯電話装置１の制御部２０も、接続された状態となり、これにより、ファクシミリ通信を行うことができるようになされている。
【００２４】
一方、デジタル携帯電話装置１とハンドスキャナ２が接続されていない場合のは、デジタル携帯電話装置１は、従来通りのデジタル携帯電話装置として使用することができるようになされている。
【００２５】
まず、デジタル携帯電話装置１とハンドスキャナ２が接続されていない場合、すなわち通話する場合について説明する。
【００２６】
例えば、発呼時において、使用者は、操作入力部１４を用いて発呼操作する。制御部２０は、例えば、発呼操作に基いた画面が表示されるように操作表示部１３を制御し、操作入力部１４で指定された相手先に呼出信号がアンテナ１５を介して送信されるように無線送受信部１７を制御する。これにより、操作入力部１４で指定された相手先と通話状態となる。
【００２７】
上述のようにして、通話状態になると、送話器１２１に入力された音声は、音声符号化部１９に供給される。この時、制御部２０は、通信システムに対応した制御信号を音声符号化部１９、モデム１８、及び無線送受信部１７に各々供給する。音声符号化部１９は、制御部２０からの制御信号に基いて、送話器１２１からの音声をデジタルデータに変換してモデム１８に供給する。モデム１８は、制御部２０からの制御信号に基いて、音声符号化部１９で得られたデジタルデータから音声通信用のモデム信号を生成して無線送受信部１７に供給する。無線送受信部１７は、制御部２０からの制御信号に基いて、モデム１８で得られた音声通信用のモデム信号を送信周波数に対応した周波数の信号に変換して送信信号としてアンテナ１５を介して送信する。
【００２８】
また、アンテナ１５で受信された受信信号は、無線送受信部１７に供給される。この時、制御部２０は、通信システムに対応した制御信号を無線送受信部１７、モデム１８、及び音声符号化部１９に各々供給する。無線送受信部１７は、制御部２０からの制御信号に基いて、アンテナ１５で受信された受信信号をモデム１８に対応した周波数の信号に変換してモデム１８に供給する。モデム１８は、無線送受信部１７から供給された受信信号を復調して音声符号化部１９に供給する。音声符号化部１９は、モデム１８から供給された受信信号を復号化して音声として受話器１２２を介して出力する。
【００２９】
ここで、上述のような音声信号伝送時において、モデム１８で得られるモデム信号は、通信システムに対応した、例えば、デジタル携帯電話装置では、４２ｋｂｐｓのｔ／４シフトＱＰＳＫ信号、パーソナルハンディホンシステム（ＰＨＳ）では、３８４ｋｂｐｓのｔ／４シフトＱＰＳＫ信号である。これに対して、画像信号等の非音声信号伝送時に用いるモデム信号は、種類が異なり、ファクシミリ通信を行う場合には、そのシステムに対応した、例えば、通信プロトコルでは、低速モデムにより３００ｂｐｓのモデム信号、画情報伝送では、高速モデムにより４８００（２４００）ｂｐｓの８値ＰＳＫ信号（ＣＩＴＴ  Ｖ．２７ｔｅｒ）、又は９６００（７２００，４８００）ｂｐｓの１６値ＱＡＭ信号（ＣＩＴＴ
Ｖ．２９ｔｅｒ）を生成する必要がある。
【００３０】
そこで、本実施例では、ハンドスキャナ２がデジタル携帯電話装置１に接続され、ファクシミリ通信を行う場合には、モデム１８は、ファクシミリ通信システムに対応したモデム信号を生成するようになされている。
【００３１】
以下、ファクシミリ通信を行う場合について説明する。
【００３２】
先ず、上記図１に示すように、使用者は、デジタル携帯電話装置１とハンドスキャナ２を、接続部１６と接続部２２を接続することにより１体化する。そして、使用者は、操作入力部１４を操作することにより、ファクシミリ送信する相手先を指定すると共に、ファクシミリ送信開始を指示する。次に、ハンドスキャナ２の読み取り部２４を原稿３上に密着させる。この時、ハンドスキャナ２のローラ２３は、図示していないモータにより回転する。使用者は、ローラ２３の回転速度に従って、ハンドスキャナ２を原稿３上の情報を読み取る位置まで移動させる。  上述のようなファクシミリ送信操作において、ハンドスキャナ２内部では、以下の処理が行われる。
【００３３】
すなわち、上記図２に示すように、先ず、制御部２０は、操作入力部１４の操作に基いた画面、例えば、「ＦＡＸ送信中」の画面が表示されるように、操作表示部１３を制御する。
【００３４】
次に、読み取り部２４は、原稿３上の情報を読み取り、読み取った情報を画像情報処理部２６に供給する。これと同時に、回転検出部２５は、ローラ２３の回転を検出し、その検出信号を制御部２７に供給する。制御部２７は、回転検出部２５からの検出信号に同期したタイミング信号を生成し、生成したタイミング信号を接続部２２及び接続部１６を介してデジタル携帯電話装置１の制御部２０に供給する。
【００３５】
一方、画像情報処理部２６は、読み取り部２４で読み取られた情報に対して２値化及び符号化処理等を施して画像信号を生成し、生成した画像信号を接続部２２及び接続部１６を介してデジタル携帯電話装置１のモデム１８に供給する。
【００３６】
この時、デジタル携帯電話装置１の制御部２０は、ハンドスキャナ２の制御部２７からのタイミング信号に基いて、モデム１８及び無線送受信部１７を制御する。
【００３７】
モデム１８は、制御部２０の制御により、ハンドスキャナ２のローラ２３の回転に同期して画像情報処理部２６からの画像信号を取り込み、取り込んだ画像信号からファクシミリ通信システムに対応したモデム信号を生成する。そして、モデム１８は、生成したファクシミリ通信用のモデム信号を無線送受信部１７に供給する。
【００３８】
無線送受信部１７は、制御部２０からの制御信号に基いて、モデム１８からのファクシミリ通信用のモデム信号を、送信周波数に対応した周波数の信号に変換してファクシミリ信号としてアンテナ１５を介して送信する。
【００３９】
上述のように、本実施例では、普段は一般のデジタル携帯電話装置として使用することができるデジタル携帯電話装置１にハンドスキャナ２が接続された場合には、デジタル携帯電話装置１は、ハンドスキャナ２で読み取られた原稿３上の情報からファクシミリ信号を生成して相手側に無線送信するため、例えば、使用者は、図書館等において、本の必要な部分を自宅等に容易にファクシミリ送信することができる。また、事務所等においても、使用者は、席についたまま容易にファクシミリ送信することができる。すなわち、携帯性に優れ、使用範囲が限定されないため、いつでもどこでも容易にファクシミリ送信することができる。
【００４０】
また、ハンドスキャナ２には、ファクシミリ通信用のモデム信号を生成する機能を持たせず、デジタル携帯電話装置１のモデム１８に音声通信用のモデム信号を生成すると共に、ファクシミリ通信用のモデム信号を生成する機能を持たせることにより、モデム回路を１個に集約することができるため、小型化を図ることができると共に、デジタル携帯電話装置１とハンドスキャナ２のトータルコストを削減することができる。
【００４１】
また、ハンドスキャナ２からデジタル電話装置１へのネットワーク制御信号及び画像信号をデジタル信号で送信するデジタル化により、デジタル携帯電話装置１とハンドスキャナ２間のエラーレートを向上させることができる。
【００４２】
さらに、デジタル携帯電話装置１とハンドスキャナ２は、コネクタ等で接続することができるため、デジタル携帯電話装置１の携帯性を損なうこと無く容易にファクシミリ機能を付加することができる。
【００４３】
尚、上述した実施例では、コネクタ等の接続部１６及び接続部２２により、デジタル携帯電話装置１とハンドスキャナ２を一体化することとしたが、接続部１６及び接続部２２をプラグ付きコードとしてデジタル携帯電話装置１とハンドスキャナ２を接続することとしてもよい。
【００４４】
また、ハンドスキャナ２で原稿３上の情報を読み取る際に、図示していないモータによりローラ２３を回転させることで紙送りすることとしたが、上記モータを設けずに手動で紙送りすることとしてもよい。
【００４５】
また、デジタル携帯電話装置１を国内のパーソナルハンディホンシステム（ＰＨＳ）のデジタルコードレス電話装置に適用することもできる。この場合には、上記デジタルコードレス電話装置は、ハンドスキャナ２で得られた画像信号を親機に無線送信し、親機から通話線を介して送信することとなる。
【００４６】
【発明の効果】
本発明に係るデジタル携帯電話装置では、接続手段は、原稿上の情報を読み取るハンドスキャナを接続する。モデムは、制御手段の制御に基いて、上記接続手段に接続されたハンドスキャナにより読み取られた原稿上の情報から生成された画像情報からファクシミリ通信に用いられる伝送方式に対応したファクシミリ送信信号を生成する。上記制御手段は、上記ハンドスキャナにより生成された原稿上の情報の読み取りタイミングに同期した同期信号に基いて、上記モデムにおける画像信号の取り込みタイミングを制御する。また、上記制御手段は、上記モデムで得られたファクシミリ送信信号が発呼操作により指定された送信先に無線送信されるように制御する。これにより、携帯性を損なうこと無く容易にファクシミリ機能を付加することができる。上記モデムは、音声通信時には、音声通信用のモデム信号を生成し、ファクシミリ通信時には、ファクシミリ通信用のモデム信号であるファクシミリ送信信号を生成する。これにより、上記モデムを音声通信用とファクシミリ通信用に共用することができるため、ハンドスキャナとデジタル携帯電話装置のトータルコストを削減することができ、小型化を図ることができる。また、上記接続手段は、ハンドスキャナをデジタル携帯電話装置に容易に接続することができる。したがって、携帯性を損なうこと無く容易にファクシミリ機能を付加することができる。
【００４７】
本発明に係るファクシミリ装置では、接続手段は、デジタル携帯電話装置とハンドスキャナを接続する。上記ハンドスキャナは、原稿上の情報を読み取り、読み取った情報から画像信号を生成し、生成した画像信号を上記デジタル携帯電話装置のモデムに供給する。また、上記ハンドスキャナは、原稿上の情報の読み取りタイミングに同期した同期信号を生成し、生成した同期信号を上記デジタル携帯電話装置の制御手段に供給する。上記モデムは、上記制御手段の制御に基いて、上記ハンドスキャナからの画像情報からファクシミリ通信に用いられる伝送方式に対応したファクシミリ送信信号を生成する。上記制御手段は、上記ハンドスキャナからの同期信号に基いて上記モデムにおける画像信号の取り込みタイミングを制御する。また、上記制御手段は、上記モデムで得られたファクシミリ送信信号が発呼操作により指定された送信先に無線送信されるように制御する。上記モデムは、音声通信時には、音声通信用のモデム信号を生成し、ファクシミリ通信時には、ファクシミリ通信用のモデム信号であるファクシミリ送信信号を生成する。これにより、上記モデムを音声通信用とファクシミリ通信用に共用することができるため、ハンドスキャナとデジタル携帯電話装置のトータルコストを削減することができ、小型化を図ることができる。また、上記接続手段は、ハンドスキャナをデジタル携帯電話装置に容易に接続することができる。したがって、携帯性に優れ、容易にファクシミリ送信することができる。
【図面の簡単な説明】
【図１】本発明に係るファクシミリ装置を適用したデジタル携帯電話装置の外観図である。
【図２】上記ファクシミリ装置の構成を示すブロック図である。
【図３】ハンドスキャナ付きファクシミリ装置の構成を示すブロック図である。
【符号の説明】
１    デジタル携帯電話装置
２    ハンドスキャナ
３    ファクシミリ装置
１１  デジタル携帯電話装置の本体
１２  送受話器
１３  操作表示部
１５  アンテナ
１６  接続部
１７  無線送受信部
１８  モデム
１９  音声符号化部
２０  制御部
２１  ハンドスキャナの本体
２２  接続部
２３  ローラ
２４  読み取り部
２５  回転検出部
２６  画像情報処理部
２７  制御部
【図１】
0003646353.tif 000002
【図２】
0003646353.tif 000003
【図３】
0003646353.tif 000004